(57)【要約】【課題】線条体の巻取り途中での切断に対しても、切断端末線を環状ガイド内に確実に収納して線叩きの発生を防止することができる簡単な構成の線条体の巻取り方法及び巻取り装置を提供する。【解決手段】ボビン上に線条体を巻取るのに、線条体１を案内する切欠２５を有し、ボビン３の軸方向に内径が順次拡大されたボビン３の巻取り幅より短い幅の環状ガイド２０で、ボビン上の線条体１のパスラインを覆うようにしたものである。環状ガイド２０は、線条体１がボビン３の回転による遠心力で係止する係止部２４を有する。環状ガイド２０がボビン３の軸方向に対し相対的に移動されるか、又は、ボビン３が環状ガイド２０の軸方向に相対的に移動される。また、環状ガイド２０は、線条体の巻回量又は線条体を巻取るボビンの切り替えによるパスラインの変動に応じて周方向に回動される。【選択図】図１
2005200114.tif 000002
【特許請求の範囲】
【請求項１】
ボビン上に線条体を巻取るのに、前記線条体を案内する切欠を有し、前記ボビンの軸方向に内径が順次拡大された前記ボビンの巻取り幅より短い幅の環状ガイドで、前記ボビン上の線条体のパスラインを覆うことを特徴とする線条体の巻取り方法。
【請求項２】
前記環状ガイドは、前記線条体が前記ボビンの回転による遠心力で係止する係止部を有することを特徴とする請求項１に記載の線条体の巻取り方法。
【請求項３】
前記環状ガイドが前記ボビンの軸方向に相対的に移動することを特徴とする請求項１又は２に記載の線条体の巻取り方法。
【請求項４】
前記ボビンが前記環状ガイドの軸方向に相対的に移動することを特徴とする請求項１又は２に記載の線条体の巻取り方法。
【請求項５】
前記環状ガイドが、前記線条体の巻回量、又は、線条体を巻取るボビンの切り替えによるパスラインの変動に応じて周方向に回動することを特徴とする請求項１〜４のいずれか１項に記載の線条体の巻取り方法。
【請求項６】
前記線条体を案内する切欠を有し、ボビンの軸方向に内径が順次拡大されたボビンの巻取り幅より短い幅の環状ガイドを、ボビン上の線条体のパスラインを覆うように配置したことを特徴とする線条体の巻取り装置。
【請求項７】
前記環状ガイドと前記ボビンは軸方向に相対的に移動可能であることを特徴とする請求項６に記載の線条体の巻取り装置。
【請求項８】
前記環状ガイドは、前記線条体の巻回量、又は、線条体を巻取るボビンの切り替えによるパスラインの変動に応じて周方向に回動可能であることを特徴とする請求項６又は７に記載の線条体の巻取り装置。
【発明の詳細な説明】
【技術分野】
【０００１】
本発明は、電線、光ファイバ等の線条体の巻取りに関し、特に線条体を高速で巻取った際の切断端末部分、並びに、巻取り途中で切断が生じた際の切断端末部分を処理する線条体の巻取り方法と巻取り装置に関する。
【背景技術】
【０００２】
従来、連続的に送られてくる電線、光ファイバ等の線条体をボビンに高速で巻取る場合、所定量の巻取りが終えた満巻きされたボビンから新しく巻取りを開始する空のボビンに、線条体の走行を中断することなく巻取りを切り替えることが行なわれている。空のボビン側は、新たに線条体の巻取りを開始すべく回転駆動が行なわれると共に、満巻きされた側のボビン側は、回転を停止される。しかし、満巻されたボビンは、その回転に慣性があるため直ちに停止することができず、ある程度、減速状態とはなるが回転が継続される。
【０００３】
このとき、満巻されたボビン側の切断された切断端末線は、フリー状態となってボビンの回転と共に周りを振れ回る。このため、切断端末線は周囲の障害物や突起物に当たって、巻取られた巻線体に跳ね返り、巻線体の表面を叩く線叩きと言われている状態が生じる。また、切断直後の切断端末線も張力が解放されることで巻取られた巻線体上に対して線叩きが生じる。この線叩きは、高速巻取りでは顕著で巻取られた線条体に傷をつけ、特に線条体が光ファイバである場合は、巻取られた光ファイバが低強度となるかもしくは破断する。このため、巻取られた光ファイバを廃棄しなければならず、また、廃棄分を見込んで余分に巻取らなければないなどの無駄が生じていた。
【０００４】
この線叩きを防止する手段として、ボビンの一方の鍔部側に切断端末線を、巻取り終了時に収納させる端末線進入リングを配した巻取り装置が知られている（例えば、特許文献１参照）。図８は、前記の特許文献１に開示の巻取り装置の概略を説明する図で、図中、１は線条体、１ａは切断端末線、１ｂは巻線体、２はトラバースローラ、３はボビン、３ａは鍔部、４は爪ホイール、６は係止爪、８は駆動軸、９は押えコーン、１０は進入リング、１１はボビンカバー、１１ａはカバー側縁、１２は案内溝、１３は端末線案内板を示す。
【０００５】
駆動軸８には、線条体１の巻始端を係止する係止爪６を有する爪ホイール４が一体に回転するように設けられ、ボビン３の一方の鍔部３ａ側に嵌められる。ボビン３は、他方の側から押えコーン９が押し込まれて、駆動軸８により回転可能に取付け固定される。ボビン３の駆動軸８との取付け側には、爪ホイール４及び鍔部３ａを覆うように進入リング１０が非回転で配されている。進入リング１０は、均一な径の外周壁１０ａと、ボビン側がわずかに内径方向に突出する環状壁１０ｂを有する開口と、実質的に閉鎖された形状の外側壁１０ｃとからなる形状で形成されている。
【０００６】
また、ボビン３の下方半部を覆うように、半円状のボビンカバー１１が配設されている。このボビンカバー１１の手前側（線条体１の進入側）のカバー側縁１１ａには、進入リング１０に隣接して案内溝１２が形成されている。ボビンカバー１１の内面には、カバー側縁１１ａから反対側の側縁に向かって徐々に進入リング１０に近づく所要高さの端末線案内板１３がボビンカバー内周面に沿って設けられている。
【０００７】
また、線条体巻取り中のボビンの全体をハウジングで覆い、切断端末線が周囲に振れ回るのを抑制することも知られている（例えば、特許文献２参照）。また、この特許文献２では、巻取り中に線条体が切断されたような場合に対しての、線条体の回収と再巻取りに対する線掛けについても開示されている。
【特許文献１】特開平９−１０８７３４号公報
【特許文献２】特開平１０−３１０４４５号公報
【発明の開示】
【発明が解決しようとする課題】
【０００８】
特許文献１に開示の構成により、切断された切断端末線１ａは、ボビン３の回転により案内溝１２に入ってカバー側縁１１ａ上で移動するのが阻止され、進入リング１０内に入り込むとされている。また、仮に切断端末線１ａが案内溝１２から外れるようなことがあっても、端末線案内板１３が確実に進入リング１０内に導いて収納させるとされている。しかしながら、進入リング１０の外周壁１０ａが均一径であり、また、環状壁１０ｂの開口が比較的大きく形成されているため、進入リング１０内に一旦収納された切断端末線１ａは、再び外に飛び出す恐れがある。さらに、巻取り途中での断線による切断が生じた場合には、切断端末線１ａを案内溝１２に導く間に生じる線叩きを防止することはできない。
【０００９】
特許文献２に開示のように、巻取り中のボビンの全体をハウジングで覆うように構成することにより、線条体の巻取り途中での切断に対しても、切断端末線１ａが振れ回って線叩きを起すのを抑制することは可能である。しかし、ボビン全体を覆うハウジング内に、線条体を案内し線掛けするには、精密で複雑な案内機構と制御機構を必要とし、装置全体が大型化すると共に高価なものとなる。
【００１０】
本発明は、上述した実情に鑑みてなされたもので、線条体の巻取り途中での切断に対しても、切断端末線を環状ガイド内に確実に収納して線叩きの発生を防止することができる簡単な構成の線条体の巻取り方法及び巻取り装置の提供を課題とする。
【課題を解決するための手段】
【００１１】
本発明による線条体の巻取り方法及び巻取り装置は、ボビン上に線条体を巻取るのに、線条体を案内する切欠を有し、ボビンの軸方向に内径が順次拡大されたボビンの巻取り幅より短い幅の環状ガイドで、ボビン上の線条体のパスラインを覆うようにしたものである。環状ガイドは、線条体がボビンの回転による遠心力で係止する係止部を有する。また、環状ガイドがボビンの軸方向に対し移動されるか、又は、ボビンが環状ガイドの軸方向に相対的に移動される。また、環状ガイドは、線条体の巻回量又は線条体を巻取るボビンの切り替えによるパスラインの変動に応じて周方向に回動される。
【発明の効果】
【００１２】
本発明によれば、線条体が巻取られるボビンと軸方向に相対的に移動可能に配した環状ガイドにより、簡単な構成で線条体の巻き替え時における切断端末部分、並びに、巻取り途中に切断されたときの切断端末部分のいずれも収納保持することができる。このため、巻取りの終了又は巻取り途中である場合にも、切断端末線による巻回の終えた巻線体上への線叩きを防止し、巻線体表面が傷つけられるのを回避することができる。これにより、線条体が光ファイバである場合は、巻取られた光ファイバの強度劣化や破断を回避することができる。
【発明を実施するための最良の形態】
【００１３】
図により本発明の実施形態の概略を説明する。図１は本発明による線条体巻取りの概略を説明する図、図２は環状ガイドの他の例を示す図である。図中、２０，２０ａ，２０ｂ，２０ｃは環状ガイド、２１は開口、２２は外周壁、２３は内周壁面、２４は係止部、２５は切欠、２５ａ，２５ｂはスロット、２６は連結ヒンジを示す。その他の符号は、図８で用いたのと同じ符合を用いることにより説明を省略する。
【００１４】
本発明による線条体の巻取り方法及び巻取り装置は、図１に示すように、図８で説明したのと同様、駆動軸８には、線条体１の端部を係止する爪６を設けた爪ホイール４が一体に回転するように設けられると共に、ボビン３の一方の側の鍔部３ａに嵌められる。ボビン３は、駆動軸８と反対側から押えコーン９が押し込まれて、駆動軸８に回転可能に取付け固定され、例えば、右から見て反時計方向に回転される。
【００１５】
ボビン３の外周には、環状ガイド２０がボビン３の軸方向に相対的に移動可能に配置される。この環状ガイド２０は、ボビンの巻取り幅より短い幅で、外周壁２２と両側部にボビン３の鍔部３ａ或いは爪ホイール４が通過しうる径の開口２１を有する環状体で形成される。また、この環状ガイド２０には、例えば、開口２１の一方の側に連通するように切り欠いたスロット２５ａと周方向に切り欠いたスロット２５ｂからなる切欠２５が設けられている。
【００１６】
また、環状ガイド２０は、外周壁２２の内周壁面２３が、ボビン３の軸方向に内径が順次拡大された壁面、例えば、テーパ状の壁面で形成される。図１においては、内周壁面２３の断面が山形になるように形成し、その山の頂部分、すなわち、径が最大となる部分を線条体１の切断端末線１ａが遠心力で係止する係止部２４とすることができる。
【００１７】
環状ガイドの他の例として、図２（Ａ）に示すように、外周壁２２を断面が一方向に傾斜する形状としたもので、内周壁面２３は、環状ガイド２０ａの一方の開口側から他方の開口側に向けて径が拡大するように形成することができる。この例においては、係止部２４が他方の開口側で内周壁面２３の端部に位置する。さらに、図２（Ｂ）の環状ガイド２０ｂのように、他方の開口側の側壁を省略し、複数の舌状片を外周壁２２の外側端部に設けることによって、係止部２４を形成するようにしてもよい。この他、環状ガイドは図２（Ｃ）で示すように２分割して、連結ヒンジ２６等で連結する環状ガイド２０ｃとすることもできる。この環状ガイドを２分割する構成では、ボビン３を駆動軸８に取付けた後に、ボビン３の巻取り面の周りに配設することもできる。
【００１８】
図１に戻って、上述した環状ガイド２０を用いて線条体１をボビン３上に巻取る方法について説明する。線条体１の巻取り開始に際して、環状ガイド２０はボビン３の外周位置から外れた位置、例えば、爪ホイール４から離れた左側位置、或いは、ボビン３の右側鍔部３ａから離れた右側位置に、相対的に退避させた状態でボビン３の回転が開始される。また、環状ガイドが２つ割りで形成され、ボビン３の巻取り面の周りに配設することが可能な構成においては、ボビン３の巻取り面の側方に退避させた状態でボビン３の回転が開始される。
【００１９】
爪ホイール４の係止爪６で線条体１の巻始端を係止させた後、ボビン胴部３ｂ上に線条体１の巻取りが開始されるが、この巻取りが開始されたとき、環状ガイド２０がボビン３上の外周位置に相対的に移動される。環状ガイド２０とボビン３とがボビンの回転軸方向に相対的に移動して、線条体１が環状ガイド２０の切欠２５内に横方向スロット２５ａに通される。続いて、環状ガイド２０とボビン３とがボビンの周方向に相対的に移動して、線状体１が周方向のスロット２５ｂに通される。環状ガイド２０は、ボビン３上の線条体１のパスラインを覆うように配される。パスラインが線条体１の巻取りでボビン３の軸方向に沿って移動されると、このパスラインの移動に連動して環状ガイド２０もボビン３の軸方向に相対的に移動し、線条体の１の巻取り中は、環状ガイド２０が常に線条体１のパスラインを覆っている。
【００２０】
ボビン３と環状ガイド２０とは、線条体１の巻取り中は軸方向に相対的に移動されるが、ボビン３の軸方向位置を固定し、環状ガイド２０側を移動させるようにしてもよい。この場合、線条体１を案内するトラバースローラ２に合わせて環状ガイド２０も移動させる必要がある。反対に、環状ガイド２０の軸方向位置を固定して、ボビン３側を移動させるようにしてもよい。この場合、線条体１を案内するトラバースローラ２の移動が不要となるので巻取り張力を安定化することができる。なお、図１では、後者の環状ガイド２０の軸方向位置を固定し、ボビン３側を移動させる例で示してある。
【００２１】
また、線条体１の巻き始めから巻取り中、さらに巻き終わりで、巻線体１ｂの巻径が異なり、ボビン３の径方向のパスラインも変動する。このため、環状ガイド２０の切欠２５の周方向のスロット２５ｂは、この変動範囲をカバーできる長さで形成されていることが望ましい。しかし、この長さが長いと切断端末線１ａが外部に飛び出て、跳ね返りを起こすことがあるのであまり大きくはできない。この場合は、線条体の巻回量、又は、線条体の巻き替え準備によるパスラインの変動に応じて、環状ガイドを周方向に回動調整して切欠２５の位置を調整するのが望ましい。この場合は、周方向スロット２５ｂは不要になる。
【００２２】
以上の構成で、巻取り途中で線条体１に断線を生じたとする。このとき、切断された切断端末線１ａは、環状ガイド２０の切欠２５を通って、環状ガイド２０内に引込むことができる。環状ガイド２０内に引込まれた切断端末線１ａは、遠心力によってその内周壁面２３に沿うように収納され、さらに、軸方向に拡大する壁面上を移動して、径が最大の係止部２４に係止するようにして収納保持される。このため、最大径の係止部２４に係止した切断端末線１ａは、側面の開口２１から外側に飛び出て振れ回ることがない。この結果、切断端末線１ａによる巻回途中の巻線体１ｂに対する線叩が防止され、また、当然のことであるが、線条体を巻取るボビンの切り替え時における切断端末線１ａによる線叩きも防止される。
【００２３】
図３及び図４は、上述した環状ガイドを用いて線条体の巻取りを行なう各種の動作形態を説明する図である。各図の上方の図は側面方向から見た横断面図、下方の図は上面方向から見た平面図である。図中、５は線移動アーム、７はカッターを示す。その他の符号は、図１の説明で用いたのと同じ符号を用いることにより説明を省略すると共に、各図の左側のボビン側には「’」を付して、右側のボビンと区別して説明する。
【００２４】
図３（Ａ）は、左側のボビン３’で最初の巻取りを開始する場合で、環状ガイド２０’は、ボビン３’から離れた退避位置に置かれる。また、次に巻取るボビン３も配置して示してあるが、最初は配置されていなくてもよい。なお、環状ガイド２０，２０’は、爪ホイール４，４’と反対側に配置した例で示してあるが、爪ホイール４，４’側に配置してもよい。先ず、図３（Ａ）に示すように、線条体１の巻始端を、爪ホイール４’に係止させ、巻取りを開始すべくボビン３’が時計回りで回転駆動される。
【００２５】
次いで、図３（Ｂ）に示すように、環状ガイド２０’がボビン３’の外周に配され、この環状ガイド２０’が線条体１のパスラインを覆うように、図１で説明したようにトラバースローラ２と線条体１及び環状ガイド２０’が関連付けられる。ボビン３’により線条体１が巻取られている間は、ボビン３’と環状ガイド２０’とは軸方向に相対的に移動される。なお、図３では、環状ガイド２０’がボビン３’に対して軸方向に移動する例を示している。
【００２６】
図３（Ｃ）は、ボビン３’への巻回量が満巻状態となり、右側のボビン３に巻取りを切り替える状態を示している。トラバースローラ２は、ボビン３と３’の中間位置から大きく右方向に移動され、ボビン３の胴部に線条体１が接触すると共にボビン３が反時計方向に回転駆動される。また、線移動アーム５が線条体１を爪ホイール４側に変位させて爪ホイール４に係止させ、カッター７により線条体１が切断される。切断された切断端末線は図１で説明した形態で、環状ガイド２０’内に係止される。
【００２７】
図４（Ａ）は、右側のボビン３の巻取りが開始される状態を示し、線条体１の巻始端が爪ホイール４に係止されて回転され、環状ガイド２０はボビン３から離れた退避位置にある。左側のボビン３’は線条体１の巻取りが終了し、環状ガイド２０’を退避位置に移動され、線条体１が巻取られたボビン３’は取外され、新たな空のボビンがセットされる。
【００２８】
次いで、図４（Ｂ）に示すように、環状ガイド２０がボビン３の外周に配置され、図３（Ｂ）の場合と同様に、環状ガイド２０が線条体１のパスラインを覆うようにトラバースローラ２と線条体１及び環状ガイド２０が関連付けられる。ボビン３により線条体１が巻取られている間は、ボビン３と環状ガイド２０とは軸方向に相対的に移動される。なお、図４では、ボビン３が環状ガイド２０に対して軸方向に移動する例を示している。
【００２９】
図４（Ｃ）は、ボビン３への巻回量が満巻状態となり、左側のボビン３’に巻取りを切り替える状態を示している。トラバースローラ２は、ボビン３と３’の中間位置から大きく左方向に移動され、ボビン３’の胴部に線条体１が接触されると共にボビン３’が時計方向に回転駆動される。また、線移動アーム５’が線条体１を爪ホイール４’側に変位させて係止させ、カッター７’により線条体１が切断される。切断された切断端末線は図１で説明した形態で、環状ガイド２０内に係止される。
【００３０】
図５〜図７は、本発明の巻取り装置における線条体巻取りの切り替え動作の詳細を説明する図で、環状ガイドが軸方向位置に固定され、ボビンが軸方向に移動する例を示す。図５は上方から見た平面図、図６及び図７は側方から見た横断面図である。図中の符号は、図１〜図４で用いたのと同じ符合を用いることにより説明を省略する。なお、切り替えるボビンの一方（図の左側に位置するボビン側）には、「’」を付して説明する。
【００３１】
図５及び図６に示すように、反時計回りで右側のボビン３の巻取りが所定量に達し、左側の空のボビン３’に巻取りを切り替える場合、左側のボビン３’の回転が開始され、トラバースローラ２が左方向に移動する。このとき、線条体１のボビン径方向のパスラインがＤからＥに変化する。このパスラインの変化に対して、右側のボビン３側の環状ガイド２０の切欠２５が十分な周方向のスロット長を有している場合は、環状ガイド２０の回動位置は固定であってもよい。しかし、切欠２５の周方向のスロット長が短く、パスラインの変動に対応できない場合は、線条体１の巻き替えによるパスラインの変動に応じて切欠２５の位置が調整されるように、環状ガイド２０が周方向に回動される。また、巻線体１ｂの巻径の変化によってパスラインに変化が生じるが、この場合も上記と同様である。
【００３２】
また、環状ガイド２０が所定の軸方向位置で固定されている場合、ボビン３は軸方向に移動されるが、ボビン３は、ボビン上の線条体１のパスラインが環状ガイド２０内に位置していれば、任意の軸方向位置で巻取りの切り換えを行なうことができる。
【００３３】
左側のボビン３’の回転が開始され、トラバースローラ２が左方向に移動した後、左側の線移動アーム５’が線条体１を左側の空のボビン３’の爪ホイール４’側に接触するように移動（図５）される。このとき、右側の線移動アーム５が、線条体１のボビン軸方向のパスラインが変化しないように線条体１の位置決めを行なう。線条体１が左側の空のボビン３’の爪ホイール４’側に接触することで、ボビン３’の時計方向の回転により、爪ホイール４’に設けられている係止爪６’が線条体１を引っ掛け、引き続く回転で、線条体１はカッター７’によって切断（図６）される。
【００３４】
線条体１の切断後、線移動アーム５’は元の位置に戻り、新しいボビン３’による巻取りが開始される。一方、巻取りが終了した右側のボビン３は、回転を停止されるが、ボビン３の慣性により直ちに停止することができず、ある程度減速された状態で回転が継続される。切断された切断端末線１ａは、フリー状態でボビン３の回転と共に周りを振れ回るが、図１で説明したように、環状ガイド２０内の係止部に案内されて保持され、線叩きが防止される。
【００３５】
図７は、図６の状態を反転して、左側のボビン３’が所定の巻取り量に達し、右側の空のボビン３に切り替える動作状態を示した図である。この場合も、図５及び図６の切り替え動作と同じで、右側のボビン３の回転が開始され、トラバースローラ２が右方向に移動する。このとき、線条体１のボビン径方向のパスラインＤはパスラインＥに変化する。したがって、図６の場合と同様に、巻線体１ｂ’の巻径、又は、線条体１の巻き替えによるパスラインの変動に応じて切欠２５’の位置調整のため、環状ガイド２０’が周方向に回動される。
【００３６】
線条体１がボビン３側の爪ホイール４の係止爪６により係止され、カッター７によって切断された後、線移動アーム５は元の位置に戻り、新しいボビン３による巻取りが開始される。一方、巻取りが終了した左側のボビン３’は、図６の場合と同様に、切断された切断端末線１ａは、環状ガイド２０’内の係止部に案内されて保持され、線叩きが防止される。
【００３７】
本発明においては、上述したように環状ガイド２０，２０’は、線条体１の巻取り中は、常時、ボビン３，３’の巻取り領域にあってボビン上の線条体１のパスラインを覆うように配置されている。このため、線条体１を巻取っていたボビンを切り替える時、並びに、線条体１の巻取りの途中で断線が生じた場合においても、その切断端末線を環状ガイド２０，２０’内に確実に収納させることができる。この結果、線条体１の巻き替え時、並びに巻取り途中のいずれにおいても切断端末線の振れ回りを防止し、既に巻取られた巻線体への線叩きを防止することができる。
【図面の簡単な説明】
【００３８】
【図１】本発明による線条体巻取りの概略を説明する図である。
【図２】本発明による環状ガイドの他の例を示す図である。
【図３】本発明による環状ガイドを用いて、線条体の巻取りを行なう動作形態を説明する図である。
【図４】本発明による環状ガイドを用いて、線条体の巻取りを行なう他の動作形態を説明する図である。
【図５】本発明による線条体巻取りの切り替え動作の詳細を説明する上方から見た平面図である。
【図６】本発明による線条体巻取りの切り替え動作を説明する側方から見た横断面図である。
【図７】図６の線条体巻取りの切り替え動作を反転させたときの図である。
【図８】従来の巻取り装置を説明する図である。
【符号の説明】
【００３９】
１…線条体、１ａ…切断端末線、１ｂ，１ｂ’…巻線体、２…トラバースローラ、３、３’…ボビン、３ａ，３ａ’…鍔部、３ｂ，３ｂ’…胴部、４，４’…爪ホイール、５，５’…線移動アーム、６，６’…係止爪、７，７’…カッター、８…駆動軸、９…押えコーン、２０，２０’，２０ａ〜２０ｃ…環状ガイド、２１，２１’…開口、２２…外周壁、２３…内周壁面、２４…係止部、２５…切欠、２５ａ，２５ｂ…スロット、２６…連結ヒンジ。
【図１】
2005200114.tif 000003
【図２】
2005200114.tif 000004
【図３】
2005200114.tif 000005
【図４】
2005200114.tif 000006
【図５】
2005200114.tif 000007
【図６】
2005200114.tif 000008
【図７】
2005200114.tif 000009
【図８】
2005200114.tif 000010